(57)【要約】      （修正有）【課題】男女の身体の性的特徴部分を被覆して、羞恥心や卑猥感を排除し、源泉掛け流し露天風呂での、同時、複数組夫婦（男女）入浴を可能にする混浴クロースを提供する。【解決手段】一枚の大タオル地と面ファスナーを組み合わせて、男性は腰部に女性は胸から下腹部にかけての胴体に巻き付けて、乳房や下腹部の性的特徴部分を被覆する混浴クロースを着用し、源泉掛け流し露天風呂での、同時複数組の夫婦や男女の混浴を可能とする。また、女性用の混浴クロースは、湯船から上がる際などに、胸部から脱落するのを防止するために、二本の紐状の肩吊りバンドの着用を可能とする。【選択図】図１
0003143052.tif 000002
【実用新案登録請求の範囲】
【請求項１】
一枚のタオル地と面ファスナーを組み合わせて、男女の身体の性的特徴部分を被覆し、源泉掛け流し露天風呂での、同時複数組の夫婦（男女）混浴を可能とすることを特徴とした混浴クロース
【請求項２】
女性用の混浴クロースについて、万が一のずり落ちリスクを担保することを特徴とした肩吊りバンド
【考案の詳細な説明】
【技術分野】
【０００１】
本考案は、源泉掛け流し露天風呂における夫婦（男女）混浴を可能にするために、入浴する男女の身体の性的特徴部分を被服するものである。
【背景技術】
【０００２】
特別なケースを除いて、露天風呂の入浴は、仕切りを設けるなどして、男女別々の浴室で入浴している。
【考案の開示】
【考案が解決しようとする課題】
【０００３】
多くの温泉地の露天風呂は男女別入浴である。団塊世代の退職旅行が増大するに連れて、夫婦で露天風呂に入ることが高年齢期旅行者の憧れでもある。現在、家族用の露天風呂はある。しかし、これは時間制で一晩の入浴組数は限られる。そこで、広く夫婦入浴希望者の潜在要求に応えたい。
【課題を解決するための手段】
【０００４】
一枚のタオル地と面ファスナーを組み合わせて、男女の身体の性的特徴部分を被覆する混浴クロースを着用し、源泉掛け流し露天風呂での、同時複数組の夫婦（男女）混浴を可能とする。また、女性用の混浴クロースは、万が一のずり落ちリスクを担保するため、肩吊りバンドの着用を可能とする。
【考案の効果】
【０００５】
本考案は、混浴クロースを用いることで、卑猥感を排除し、源泉掛け流し温泉において、楽しい夫婦（男女）混浴が出来る。
【０００６】
源泉掛け流し温泉経営者が、設備更新時に、露天風呂を、混浴クロースを用いる混浴露天風呂に模様替えする。団塊の世代の退職旅行増加にともなう、同時複数組の夫婦（男女）の露天風呂入浴を可能にする。
【０００７】
海外では、水着着用の温泉もあるが、窮屈で着替えに時間を要する。混浴クロースはゆったり感があり、寛いだ温泉旅行の楽しみが増す。
【０００８】
温泉経営者は、現在、男女別温泉入浴室の外側に男女別露天風呂を設置しているところが多い。露天風呂入室前に混浴クロースを着用させることで、露天風呂を一箇所にすることが出来、掃除時間の削減や水量・水質維持など、更には、固定客の増加など経営効率に資することとなる。
【０００９】
混浴クロースの使用は、湯船にタオル布地を持ち込むことになるので、循環温泉では雑菌繁殖の可能性等も考えられるから、源泉掛け流し温泉に限定する。それにより、源泉掛け流し温泉のステータスも上がり、リピーター増に繋がる。
【００１０】
ＴＶの温泉入浴番組でも、入浴シーン撮影の際、着脱が楽にできる。
【考案を実施するための最良の形態】
【００１１】
源泉掛け流し温泉経営者が、露天風呂を混浴可能なように若干の設備変更をする。例えば、河原に露天風呂を持つ三朝温泉などは、川岸に簡易更衣室を設けることで、温泉旅館群全体の利用客が増加する。
【００１２】
温泉経営者は、入浴前に希望者に混浴クロースを渡す。
【００１３】
混浴クロース使用料は、温泉経営者が決める。
【００１４】
原則として、混浴クロースは、使用者が自分の部屋に持ち帰る。清潔維持のため、他人が再使用できないようにする。
【実施例】
【００１５】
現在、温泉経営者は、男女別入浴室の外側に男女別露天風呂を設置している。宿泊客に事前に説明し、露天風呂入室直前に混浴クロースを着用させることで、露天風呂を一箇所にすることが出来る。掃除時間の削減や水量の節約・水質維持など、更には、固定客の増加など経営効率に資することとなる。
【産業上の利用可能性】
【００１６】
源泉掛け流しの温泉地で、夫婦（男女）混浴が有名になれば、掛け流しであることも含め、宣伝効果抜群で、宿泊客が増加し、地域の観光産業・経済発展に寄与する。
【図面の簡単な説明】
【００１７】
【図１】女性用装着図である。混浴クロース（大タオル）を胸に巻き、面ファスナーで固定する。また、肩吊りバンドでずり落ちリスクを回避する。
【図２】女性用平面図である。
【図３】男性用装着図である。腹に巻き、面ファスナーで固定する。
【図４】男性用平面図である。
【符号の説明】
【００１８】
１  タオル布地（女性用上下幅８０ｃｍ程度、男性用同６０ｃｍ程度）
２  肩吊りバンド
３ａ  面ファスナー雄側（’ダッシュは対応する面ファスナー。以下同じ。）
３ａ’面ファスナー雌側
３ｂ  面ファスナー雄側
３ｂ’面ファスナー雌側
３ｃ  面ファスナー雄側
３ｃ’面ファスナー雌側
３ｄ  面ファスナー雄側
３ｄ’面ファスナー雌側
３ｅ  面ファスナー雄側
３ｅ’面ファスナー雌側
３ｆ  面ファスナー雄側
３ｆ’面ファスナー雌側
【図１】
0003143052.tif 000003
【図２】
0003143052.tif 000004
【図３】
0003143052.tif 000005
【図４】
0003143052.tif 000006
【手続補正書】
【提出日】平成20年5月2日(2008.5.2)
【手続補正１】
【補正対象書類名】実用新案登録請求の範囲
【補正対象項目名】全文
【補正方法】変更
【補正の内容】
【実用新案登録請求の範囲】
【請求項１】
大タオル地の上下及び両端の一部に、複数の面ファスナーを取り付
けて、男性用は腰部に、女性用は胸部から下腹部に至る胴体に巻きつけ、性的特
徴部分を被覆することができるように製作した、男女一対の混浴クロース。
【請求項２】
女性用については、請求項１の面ファスナーに加えて、胴体に巻き
つけた大タオル地の上端の前面二箇所に、面ファスナー３ｃ’及び３ｄ’を取り
付けると共に、先端に面ファスナー３ｃ及び３ｄを取り付けた紐状の布を、肩越
しに胴体後部から前部にかけて取り付け、面ファスナー３ｃ’及び３ｄ’と接合
させる肩吊りバンドを設けた事を特徴とする請求項１記載の混浴クロース。
【手続補正２】
【補正対象書類名】明細書
【補正対象項目名】全文
【補正方法】変更
【補正の内容】
【考案の詳細な説明】
【技術分野】
【０００１】
本案に近い実用新案は登録第３１１１１８１号、登録日平成１７
年６月１日である。その請求項１では、長方形ないし台形状の水着生地や布地
の両端をプレスファスナーや、ホックで留めるようにし、胸部、腰部に巻いて
着用し、乳房や下腹部を被い隠す目的に使用する温泉入浴用水着、となってい
て、その選択図の図３にみる女性用水着は上下のセパーレート式である。
【背景技術】
【０００２】
本案は、特に女性用について、上下一体型とするとともに、温泉
から湯船から上がる際に、混浴クロースの大タオル地が、胸部からの脱落する
ことを防止するために、二本の紐状の肩吊りバンドを取り付ける点が新しい技
術面である。
【考案の開示】
【考案が解決しようとする課題】
【０００３】
多くの温泉地の露天風呂は男女別入浴である。団塊世代の退職旅
行が増大するに連れて、夫婦で露天風呂に入ることが高年齢期旅行者の憧れで
もある。現在、家族用の露天風呂はある。しかし、これは時間制で一晩の入浴
組数は限られる。そこで、広く夫婦入浴希望者の潜在要求に応えたい。
【課題を解決するための手段】
【０００４】
一枚の大タオル地と面ファスナーを組み合わせて、男性は腰部に
女性は胸から下腹部にかけての胴体に巻き付けて、乳房や下腹部の性的特徴部
分を被覆する混浴クロースを着用し、源泉掛け流し露天風呂での、同時複数組
の夫婦や男女の混浴を可能とする。また、女性用の混浴クロースは、湯船から
上がる際などに、胸部から脱落するのを防止するために、二本の紐状の肩吊り
バンドの着用を可能とする。
【考案の効果】
【０００５】
本案は、混浴クロースを用いることで、卑猥感や羞恥心を排除し、
源泉掛け流し温泉において、楽しい夫婦や男女の混浴が可能となる。
【０００６】
源泉掛け流し温泉経営者が、設備更新時に、男女別露天風呂を、
混浴クロースを用いる混浴露天風呂に模様替えする。団塊の世代の退職旅行増
加にともなう、同時、複数組の夫婦や男女の露天風呂入浴を可能にする。
【０００７】
海外では、水着着用の温泉もあるが、水着では、窮屈で着替えに
時間を要し、さらに、石鹸等による身体洗浄場所での着脱が不便で、ゆったり
感が無い。その点本案は、寛いだ感触が十分で、温泉旅行の楽しみが増す。
【０００８】
温泉は、現在、男女別温泉入湯室の外側に男女別露天風呂を設置
しているところが多い。露天風呂入室前に混浴クロースを着用させる事で、露
天風呂を一箇所にすることが出来、掃除時間の削減や水量・水質維持など、更
には、固定客の増加など経営効率にも資することとなる。
【０００９】
混浴クロースの使用は、湯船に大タオル布地を持ち込むことにな
るので、循環式温泉では雑菌繁殖の可能性等も考えられるから、源泉掛け流し
温泉に限定する。それにより、源泉掛け流し温泉のステータスも上がり、リピ
ーターの増加に繋がる。
【００１０】
ＴＶの温泉入浴番組でも入浴シーン撮影の際、着脱が楽にできる。
【考案を実施するための最良の形態】
【００１１】
源泉掛け流し温泉経営者が、露天風呂を混浴可能なように若干の
設備変更をする。例えば、河原に露天風呂を持つ三朝温泉などは、川岸に簡易
更衣室を設けることで、温泉旅館群全体の利用客が増加する。
【００１２】
温泉経営者は、入浴前に希望者に混浴クロースを渡す。
【００１３】
原則として、混浴クロースは使用者が自分の部屋に持ち帰るなど
して、湯船等の清潔維持のため、他人が再使用できないようにする。
【実施例】
【００１４】
現在、温泉経営者は、男女別入浴室の外側に男女別露天風呂を設
置している。宿泊客に事前に説明し、露天風呂入室直前に混浴クロースを着用
させることで、露天風呂を一箇所にすることが出来る。掃除時間の削減や水量
の節約・水質維持など、更には、固定客の増加など経営効率に資する。
【産業上の利用可能性】
【００１５】
源泉掛け流しの温泉地で、夫婦混浴が有名になれば、源泉掛け流
しであることも含め、宣伝効果抜群で、宿泊客が増加し、地域の観光産業・経済
発展に寄与する。
【図面の簡単な説明】
【００１６】
【図１】前面及び背面から見た女性用装着図である。大タオル地の混浴クロ  ースを胸部から下腹部に至る胴体に巻き付け、面ファスナーで固定する。また、紐状の肩吊りバンドを背面から肩越しに胸部に回し、前面で面ファスナーにより固定して、胴体に巻いた大タオル地がずり落ちないように留める。
【図２】女性用展開透視図である。記号２の肩吊りバンドの図面上部の３ｃ及び３ｄの面ファスナーが、肩越しに大タオル地上辺の３ｃ’及び３ｄ’の  面ファスナーとそれぞれ組み合わされる。
【図３】前面から見た男性用装着図である。腰部に巻き、女性用に準じて各面ファスナーで固定する。
【図４】男性用平面透視図である。
【符号の説明】
【００１７】
１    女性用上下幅８０ｃｍ程度、男性用同６０ｃｍ程度の大タオル地
２    肩吊りバンド
３ａ  面ファスナー雄側  ’ダッシュは対応する面ファスナー
３ａ’面ファスナー雌側  ’ダッシュは対応する面ファスナー
３ｂ  面ファスナー雄側  ’ダッシュは対応する面ファスナー
３ｂ’面ファスナー雌側  ’ダッシュは対応する面ファスナー
３ｃ  面ファスナー雄側  ’ダッシュは対応する面ファスナー
３ｃ’面ファスナー雌側  ’ダッシュは対応する面ファスナー
３ｄ  面ファスナー雄側  ’ダッシュは対応する面ファスナー
３ｄ’面ファスナー雌側  ’ダッシュは対応する面ファスナー
３ｅ  面ファスナー雄側  ’ダッシュは対応する面ファスナー
３ｅ’面ファスナー雌側  ’ダッシュは対応する面ファスナー
３ｆ  面ファスナー雄側  ’ダッシュは対応する面ファスナー
３ｆ’面ファスナー雌側  ’ダッシュは対応する面ファスナー
【手続補正３】
【補正対象書類名】図面
【補正対象項目名】全図
【補正方法】変更
【補正の内容】
【図１】
0003143052.tif 000007
【図２】
0003143052.tif 000008
【図３】
0003143052.tif 000009
【図４】
0003143052.tif 000010